(57)【要約】【課題】より容易に栽培槽内の環境を清浄に保つことができる水耕栽培装置を提供する。【解決手段】水耕栽培装置１０は、植物６０の地下部６１が成長する空間Ｓ１が形成された栽培槽３１０と、植物６０の地下部６１が空間Ｓ１内に位置するように植物６０を支持する支持部３２０と、を備える。さらに、水耕栽培装置１０は、養液Ｌを噴霧することにより植物６０の地下部６１に養液Ｌを供給するミスト供給部４１と、植物６０の地下部６１の下方に配置されて植物６０の腐敗物６４を受ける受け部９０と、を備える。そして、受け部９０が、栽培槽３１０の側壁部３１２から外部に取り出し可能な状態で空間Ｓ１内に配置されている。【選択図】図２
2020120616.tif 000002
【特許請求の範囲】
【請求項１】
植物の地下部が成長する空間が形成された栽培槽と、
前記植物の地下部が前記空間内に位置するように前記植物を支持する支持部と、
養液を噴霧することにより前記植物の地下部に養液を供給するミスト供給部と、
前記植物の地下部の下方に配置されて前記植物の腐敗物を受ける受け部と、
を備え、
前記受け部が、前記栽培槽の側壁部から外部に取り出し可能な状態で前記空間内に配置されている水耕栽培装置。
【請求項２】
前記受け部を水平方向にスライドさせることで、前記受け部が前記栽培槽の側壁部から外部に取り出される構成とした請求項１に記載の水耕栽培装置。
【請求項３】
前記栽培槽の空間内に、水平方向にスライド可能な引出部が配置されており、
前記引出部の底部に前記受け部が形成されている請求項２に記載の水耕栽培装置。
【請求項４】
前記受け部は、前記腐敗物を収容可能なカップ部を有する請求項１〜３のうちいずれか１項に記載の水耕栽培装置。
【請求項５】
前記受け部は、前記養液の通過を許容しつつ前記腐敗物の通過を抑制する網部を有する請求項１〜４のうちいずれか１項に記載の水耕栽培装置。
【請求項６】
前記網部は、前記植物の地下部に近い側に配置される第１の網部と、前記第１の網部よりも下方に配置され、前記第１の網部よりも網目の細かい第２の網部と、を備える請求項５に記載の水耕栽培装置。
【請求項７】
前記養液が貯留される養液貯留部と、
前記ミスト供給部に連設されて前記養液貯留部内の前記養液を前記ミスト供給部に供給する養液供給部と、
前記栽培槽に連設されて前記栽培槽内の養液を排出して前記養液貯留部内に還元する養液排出部と、
をさらに備える請求項１〜６のうちいずれか１項に記載の水耕栽培装置。
【請求項８】
前記受け部が前記ミスト供給部よりも下方に配置されている請求項１〜７のうちいずれか１項に記載の水耕栽培装置。
【請求項９】
前記受け部が前記ミスト供給部よりも上方に配置されている請求項１〜８のうちいずれか１項に記載の水耕栽培装置。
【請求項１０】
前記植物の地下部が、共通の支持部に複数支持されている請求項１〜９のうちいずれか１項に記載の水耕栽培装置。
【発明の詳細な説明】
【技術分野】
【０００１】
本開示は、土壌を用いずに植物を栽培する水耕栽培装置に関する。
【背景技術】
【０００２】
次の特許文献１に開示されているように、植物の根部が栽培槽の内部に位置するように植物を支持する支持部と、養液を噴霧することにより植物の根部に養液を供給するミスト供給部と、を備える水耕栽培装置が知られている。
【０００３】
この特許文献１に開示の水耕栽培装置は、植物の根部を包含する袋状であり、透水性を有する保湿部をさらに備えており、この保湿部によって、植物の腐敗や枯死を低減させることができるようにしている。
【先行技術文献】
【特許文献】
【０００４】
【特許文献１】特開２０１５−０５０９７２号公報
【発明の概要】
【発明が解決しようとする課題】
【０００５】
ところで、植物を栽培する際には、古い組織や腐敗根等の腐敗物が発生することがある。このような腐敗物は、土耕栽培の場合には土壌細菌等により分解されるため、腐敗物が植物の生育に影響を与えることが抑制されている。
【０００６】
一方、水耕栽培の場合には、腐敗物を分解させることが難しく、この腐敗物が栽培槽内に蓄積されると、栽培槽内が汚染されてしまうことがある。
【０００７】
そして、上記特許文献１に開示の水耕栽培装置では、植物に生じた腐敗物を栽培槽内から除去することが難しく、栽培槽内の環境を清浄に保つことが難しい。
【０００８】
そこで、本開示は、より容易に栽培槽内の環境を清浄に保つことができる水耕栽培装置を提供することを目的とするものである。
【課題を解決するための手段】
【０００９】
上記した課題を解決するために、本開示の一態様に係る水耕栽培装置は、植物の地下部が成長する空間が形成された栽培槽と、前記植物の地下部が前記空間内に位置するように前記植物を支持する支持部と、を備える。さらに、水耕栽培装置は、養液を噴霧することにより前記植物の地下部に養液を供給するミスト供給部と、前記植物の地下部の下方に配置されて前記植物の腐敗物を受ける受け部と、を備える。そして、前記受け部が、前記栽培槽の側壁部から外部に取り出し可能な状態で前記空間内に配置されている。
【発明の効果】
【００１０】
本開示によれば、より容易に栽培槽内の環境を清浄に保つことができる水耕栽培装置を得ることができる。
【図面の簡単な説明】
【００１１】
【図１】第１実施形態にかかる水耕栽培装置の全体構成を模式的に示す側面図である。
【図２】第１実施形態にかかる水耕栽培装置の栽培槽の内部空間を説明するための図である。
【図３】第１実施形態にかかる水耕栽培装置の受け部を模式的に示す斜視図である。
【図４】第２実施形態にかかる水耕栽培装置の栽培槽の内部空間を説明するための図である。
【図５】第２実施形態にかかる水耕栽培装置の受け部を模式的に示す斜視図である。
【図６】第３実施形態にかかる水耕栽培装置の栽培槽の内部空間を説明するための図である。
【図７】第４実施形態にかかる水耕栽培装置の全体構成を示す縦断面図である。
【図８】第４実施形態にかかる水耕栽培装置の栽培槽の内部空間を説明するための図である。
【図９】第５実施形態にかかる水耕栽培装置の栽培槽の内部空間を説明するための図である。
【発明を実施するための形態】
【００１２】
以下、図面を参照しながら、各実施形態の水耕栽培装置を説明する。なお、各実施形態の説明および図面においては、同一の参照符号が同一の部分に付されている。同一の参照符号が付された同一の部分の説明は、後続の実施形態において繰り返されない。第１実施形態と後続の実施形態との図面の対比において、同一の参照符号が付された同一の部分は、特に説明がなければ、同一の構造および機能を有している。
【００１３】
（第１実施形態）
図１〜図３を用いて、第１実施形態の水耕栽培装置１０を説明する。
【００１４】
図１および図２に示すように、本実施形態にかかる水耕栽培装置１０は、土壌を使用せずに植物６０を栽培する装置であり、植物６０を育成する植物育成部３０を備えている。
【００１５】
この水耕栽培装置１０は、例えば、建物の屋内空間等の栽培室１内に配置して用いることができる。
【００１６】
本実施形態では、この栽培室１内に、空調手段としてのエアコン２を設置し、このエアコン２によって栽培室１内の温度等の環境条件を制御できるようにしている。こうすることで、栽培室１内が、所望の成長サイクル期間で植物６０を生育するのに適した環境条件となるようにしている。
【００１７】
なお、本実施形態では、植物６０は、多年生宿根草の一例のオタネニンジンであるものとする。この植物６０は、地下部に相当する主根（栄養体）６１と、主根６１から延び、地下部に相当する側根６２と、主根６１から延びる茎（地上部）に形成された葉（地上部）６３と、を有している。ただし、植物６０は、オタネニンジン等の多年生宿根草に限られるものではなく、地上部および地下部を有するものであれば、いかなる植物であってもよい。例えば、ジャガイモ等の塊茎類やサツマイモ等の塊根類であってもよいし、地下部として栄養体を成長させる他の植物であってもよい。
【００１８】
また、本実施形態では、ＬＥＤや蛍光灯などの照明装置２２を用いて植物６０を生育するようにしている。すなわち、図示せぬ電源を利用して照明装置２２からの光を植物６０へ照射させることで、植物６０の地上部に相当する葉６３で光合成が行われるようにしている。なお、太陽光を直接的または間接的に利用して植物６０を生育するようにしてもよい。
【００１９】
本実施形態では、図１に示すように、栽培室１内に、上部に照明装置２２が設置されたケース２１により区画された照射空間２０が形成されており、この照射空間２０内に、複数の植物育成部３０が配置されている。なお、照射空間２０内に１つの植物栽培部３０を配置するようにしてもよい。
【００２０】
また、ケース２１を用いる必要はなく、例えば、栽培室１内に多段式のラックを配置し、所定の段の下面に照明装置２２を配置し、その１つ下の段の上部に植物育成部３０を配置するようにしてもよい。
【００２１】
水耕栽培装置１０の植物育成部３０は、植物６０の地下部としての主根６１が成長する空間Ｓ１が形成された栽培槽としてのケース３１０と、植物６０の主根６１が空間Ｓ１内に位置するように植物６０を支持する支持部３２０と、を備えている。
【００２２】
本実施形態では、ケース３１０は、光を通さない材料で形成されており、このケース３１０によって外部から内部へ進入する光が遮られるようになっている。
【００２３】
また、ケース３１０は、略矩形板状の底壁部３１１と、底壁部３１１の各辺（周縁部）から上方に立ち上がるように形成された側壁部３１２と、を備えており、このケース３１０には、主根６１が成長する空間Ｓ１が上方に開口するように形成されている。
【００２４】
そして、略矩形板状の支持部３２０がケース３１０の開口を塞ぐように配置されており、植物育成部３０は、全体として中空の直方体状をしている。
【００２５】
なお、植物育成部３０の形状は、中空の直方体状に限られるものではなく、中空の多角柱状や円柱状等、様々な形状とすることが可能である。
【００２６】
また、ケース３１０の開口を塞ぐ支持部３２０は、発泡スチロール等の光を通さない材料で形成されており、この支持部３２０によって外部から内部へ進入する光が遮られるようになっている。そして、支持部３２０には、植物６０が、主根６１が空間Ｓ１内に位置するようにした状態で支持されている。
【００２７】
本実施形態では、支持部３２０に培地３２２が設けられており、この培地３２２に主根６１が保持されるようにしている。こうすることで、植物６０が支持部３２０に支持されるようにしている。具体的には、支持部３２０には、板厚方向に貫通する貫通孔３２１が形成されており、この貫通孔３２１内に培地３２２が設けられている。
【００２８】
培地３２２は、例えば、スポンジ、すなわちウレタンフォームで形成することができる。こうすれば、植物６０の主根６１の成長に応じて培地３２２を弾性変形させることができる。
【００２９】
本実施形態では、培地３２２は、中央に貫通孔が形成された円筒状をしている。そして、植物６０を支持部３２０に支持した状態では、支持部３２０に形成された貫通孔３２１の内周面と主根６１の外周面との間に、培地３２２が、植物６０の一部を取り囲むように設けられている。このとき、植物６０は、スポンジ製の培地３２２と主根６１との間に生じる摩擦力によって支持されることになる。
【００３０】
さらに、本実施形態では、支持部３２０には、複数の貫通孔３２１が形成されており、各貫通孔３２１に培地３２２が形成されている。
【００３１】
すなわち、本実施形態では、一つの支持部（共通の支持部）３２０に複数の植物６０（植物６０の主根６１）が支持されるようにしている。したがって、本実施形態では、１つの植物育成部３０に複数（２つ以上）の植物６０が、それぞれの主根６１が空間Ｓ１内に位置するようにした状態で支持されている。なお、一つの支持部３２０に１つの植物６０（植物６０の主根６１）が支持されるようにしてもよい。
【００３２】
さらに、水耕栽培装置１０は、養液Ｌを噴霧することにより植物６０の主根６１に養液Ｌを供給するためのミスト噴霧部（ミスト供給部）４１を備えている。そして、水耕栽培を行う際には、空間Ｓ１内に位置する主根６１に養液Ｌが供給されるようにしている。このように、本実施形態にかかる水耕栽培装置１０は、植物６０の葉６３に光を照射し、主根６１に養液Ｌを供給することで、植物６０を生育するものである。
【００３３】
具体的には、水耕栽培装置１０は、上述したミスト噴霧部４１と、養液Ｌが貯留される養液貯留タンク（養液貯留部）７０と、ミスト噴霧部４１に連設されて養液貯留タンク７０内の養液Ｌをミスト噴霧部に供給する養液配管（養液供給部）４０と、を備えている。さらに、水耕栽培装置１０は、ケース３１０に連設されてケース３１０内の養液Ｌを排出して養液貯留タンク７０内に還元する排液用配管（養液排出部）５０を備えている。
【００３４】
このように、本実施形態では、養液貯留タンク７０内の養液Ｌを循環させながら、主根６１に養液ＬのミストＭが供給されるようにしている。
【００３５】
なお、主根６１への養液ＬのミストＭの供給は、養液貯留タンク７０内に配置されて養液配管４０の上流端に連設されるポンプ８０により行われる。
【００３６】
このポンプ８０としては、例えば、水中ポンプを用いることができる。そして、ポンプ８０を用いて養液配管４０への送液を行う際には、各植物育成部３０により均一に送液を行えるようにするのが好ましい。
【００３７】
また、本実施形態では、１本の養液配管４０が、複数の植物育成部３０内（空間Ｓ１内）にそれぞれの側壁部３１２から配設されるようにしたものを例示している。そして、１本の養液配管４０に、複数のミスト噴霧部４１を、各植物育成部３０の空間Ｓ１内に位置される複数の主根６１と対応するように連設し、各ミスト噴霧部４１から噴霧される養液ＬのミストＭが対応する主根６１に供給されるようにしている。
【００３８】
なお、１つの主根６１に供給されるミスト噴霧部４１の数や、１つのミスト噴霧部４１に形成される噴霧孔の数は特に限定されるものではないが、１つの主根６１の全体にわたってほぼ均一のミストＭが噴霧されるようにするのが好ましい。例えば、単位時間あたりに噴霧されるミストＭの量が、１つの主根６１の様々な部位においてほぼ均一となるように、ミスト噴霧部４１を配置させるようにするのが好ましい。
【００３９】
また、ミスト噴霧部４１からのミストＭの噴霧は、一定時間ごとに一定量のミストＭを噴霧させられるように制御するのが好ましい。なお、ミスト噴霧部４１からのミストＭの噴霧の制御は、所定の方法に限定されるものではない。ただし、少なくとも、植物６０に養液Ｌをより均一に与えることが可能な噴霧圧もしくは噴霧量を調節することができ、かつ、これらの噴霧タイミングを制御できるようにするのが好ましい。
【００４０】
このような制御としては、例えば、１５分間隔で噴霧のオンとオフを切り替える制御を一日中行う制御などが考えられる。すなわち、植物６０に養液Ｌをより均一に与えることが可能な噴霧圧もしくは噴霧量のミストＭを、１５分間隔で一日中主根６１に与える制御などが考えられる。
【００４１】
また、養液配管４０およびミスト噴霧部４１の配置方法は、上述した方法に限られるものではなく、様々な方法で配置することが可能である。例えば、養液配管４０を、ポンプ８０よりも下流側で複数本の配管に分岐させ、分岐させた各配管を対応する植物育成部３０内にそれぞれ配置させるようにしてもよい。また、ポンプ８０と養液配管４０のセットを複数用意し、各セットの養液配管４０を対応する植物育成部３０内に配置させるようにしてもよい。なお、養液配管４０およびミスト噴霧部４１は、成長中の主根６１との干渉を抑制できる位置に配置するのが好ましい。
【００４２】
また、本実施形態では、養液貯留タンク７０を植物育成部３０とは別体に設けたものを例示したが、養液貯留タンク７０と植物育成部３０とを一体化させることも可能である。
【００４３】
そして、排液用配管５０は、一端がケース３１０の底壁部３１１に形成された連結孔３１１ａに連結されており、他端から排液が養液貯留タンク７０内に流れ落ちるようになっている。すなわち、ケース３１０の底壁部３１１に落下した養液Ｌが排液用配管５０を通って養液貯留タンク７０に還元されるようになっている。
【００４４】
なお、養液配管４０や排液用配管５０は、柔軟性を有するゴムからなるホースで構成されていてもよいし、塩化ビニルパイプのような硬質の配管で構成されていてもよい。
【００４５】
そして、上述した構成の水耕栽培装置１０を用いて植物６０を育成すれば、植物６０の根（主根６１や側根６２）が養液Ｌに長時間浸漬してしまうことが抑制される。その結果、浸漬部分での菌の発生や酸素不足による腐敗の発生などが抑制され、より健全に植物６０を育成することができるようになる。
【００４６】
しかしながら、植物を栽培する際には、古い組織や腐敗根等の腐敗物が発生することがある。特に、本実施形態のように、栽培期間が比較的長いオタネニンジン（多年生宿根草：植物６０）を育成する場合には、短期間で育成することができる植物に較べて腐敗物が発生する確率が高くなる。
【００４７】
また、水耕栽培で植物を育成する場合、このような腐敗物は分解されずに栽培槽内に蓄積されてしまうおそれがある。
【００４８】
そして、栽培槽内に腐敗物が蓄積されると、養液が腐敗物によって汚染されて、植物を健全に育成することが難しくなる。特に、本実施形態のように、養液Ｌを循環させる構成とした場合には、腐敗物６４による養液Ｌの汚染がより顕著となる。
【００４９】
そのため、水耕栽培装置を用いて植物の育成する際には、栽培槽内の腐敗物を定期的に除去して栽培槽内の環境を清浄に保つようにするのが好ましい。
【００５０】
しかしながら、栽培槽の底面に腐敗物を落下させる構成や、上記特許文献１に開示の構成としてしまうと、腐敗物を除去するのに手間がかかってしまう。
【００５１】
そこで、本実施形態では、ケース（栽培槽）３１０内の腐敗物６４をより容易に除去することができるようにした。
【００５２】
具体的には、水耕栽培装置１０が、植物６０の主根（地下部）６１の下方に配置されて植物６０の腐敗物６４を受ける受け部９０を備えるようにした。
【００５３】
この受け部９０は、例えば、樹脂材料や金属材料等、様々な材料を用いて形成することができる。本実施形態では、図３に示すように、受け部９０は、枠部９１と、この枠部９１の内側に配置される網部９２と、を備えている。
【００５４】
網部９２は、養液Ｌの通過を許容しつつ腐敗物６４の通過を抑制するものであり、例えば、５ｍｍ角の穴が開いた網目状に形成されている。そして、網部９２の周囲の全周にわたって枠部９１が形成されている。
【００５５】
さらに、本実施形態では、ケース３１０の底面から離間した状態で空間Ｓ１内に受け部９０が配置されるようにしている。
【００５６】
具体的には、角筒状の側壁部３１２の４隅の内側であって、植物６０の主根６１よりも下方かつケース３１０の底面よりも上方に、水平に突出する保持突起３１２ａを設け、この保持突起３１２ａ上に受け部９０の枠部９１が載置されるようにしている。なお、受け部９０の空間Ｓ１内への配置方法は、上述の方法に限られるものではなく、様々方法で配置することができる。このとき、受け部９０を空間Ｓ１内へ着脱可能に配置させるようにするのが好ましい。
【００５７】
このように、ケース３１０の底面から離間した状態で受け部９０を配置することで、植物６０の育成時に発生する腐敗物６４が養液Ｌに接触してしまうことを抑制している。
【００５８】
また、本実施形態では、受け部９０は、ミスト噴霧部４１よりも下方に配置されている。
【００５９】
なお、成長した植物６０の主根６１が受け部９０と干渉してしまうことを抑制するために、支持部３２０の下面と受け部９０の上面との間に、所定の高さ以上の隙間が形成されるように受け部９０を配置するのが好ましい。この所定の高さは適宜設定することができる値であるが、例えば、植物６０が出荷可能な大きさになるまで成長した際に支持部３２０の下方に伸びる主根６１の長さ以上とすることができる。
【００６０】
また、本実施形態では、ケース３１０の底面に排液用配管５０を設けているため、ケース３１０の底面に受け部９０を直接載置したとしても、腐敗物６４が養液Ｌに接触してしまうことを抑制することは可能である。
【００６１】
したがって、受け部９０は、ケース３１０の底面から離間させた状態で配置する方が好ましいが、ケース３１０の底面に受け部９０を直接載置する構成とすることも可能である。
【００６２】
さらに、本実施形態では、受け部９０をケース３１０の側壁部３１２から外部に取り出せるようにしている。
【００６３】
具体的には、受け部９０を水平方向にスライドさせることで、受け部９０がケース（栽培槽）３１０の側壁部３１２から外部に取り出されるようにしている。
【００６４】
本実施形態では、４つの側壁部３１２のうちの一つの側壁部３１２に、受け部９０をスライドさせながら挿通することが可能な窓部３１２ｃを形成した。そして、この窓部３１２ｃを開閉自在に覆う扉部３１２ｂを一つの側壁部３１２に形成した。こうすることで、受け部９０を水平方向にスライドさせて側壁部３１２から外部に取り出せるようにした。
【００６５】
なお、窓部３１２ｃの高さは、予め想定した大きさの腐敗物６４をスムーズに取り出せる程度の高さとするのが好ましい。
【００６６】
そして、このような構成をした受け部９０を水耕栽培装置１０に設けることで、植物６０の育成を中断することなく、受け部９０をケース３１０から取り外すことができるようにしている。なお、植物６０の育成を中断することなく、受け部９０をケース３１０から取り外すことができるとは、植物６０に光を照射したり、主根６１にミストＭを供給したりしている最中でも受け部９０をケース３１０から取り外すことができることを意味している。
【００６７】
また、本実施形態では、下端を上方に回動させる扉部３１２ｂを例示したが、上端を下方に回動させる扉部としてもよいし、側端をケース３１０の外側に回動させる扉部としてもよい。また、扉部をケース３１０の内側に回動させる構成とすることも可能であるし、スライド式の扉部とすることも可能である。また、窓部３１２ｃに着脱自在に嵌め込む扉部とすることも可能である。
【００６８】
（第２実施形態）
図４および図５を用いて、第２実施形態にかかる水耕栽培装置１０を説明する。
【００６９】
図４に示すように、本実施形態においても、水耕栽培装置１０は、植物６０の地下部６１が成長する空間Ｓ１が形成された栽培槽（ケース３１０）と、植物６０の地下部６１が空間Ｓ１内に位置するように植物６０を支持する支持部３２０と、を備える。さらに、水耕栽培装置１０は、養液Ｌを噴霧することにより植物の地下部に養液Ｌを供給するミスト供給部（ミスト噴霧部４１）と、植物６０の地下部６１の下方に配置されて植物６０の腐敗物６４を受ける受け部９０と、を備える。そして、受け部９０が、栽培槽３１０の側壁部３１２から外部に取り出し可能な状態で空間Ｓ１内に配置されている。
【００７０】
ここで、本実施形態では、栽培槽３１０の空間Ｓ１内に、水平方向にスライド可能な引出部９０Ａを配置し、この引出部９０Ａの底部９１Ａに受け部９０を形成するようにしている。
【００７１】
具体的には、図５に示すように、引出部９０Ａは、略矩形板状の底部９１Ａと、底部９１Ａの各辺（周縁部）から上方に立ち上がるように形成された側壁部９２Ａと、を備えている。このような構成とすることで引出部９０Ａには、腐敗物６４が収容される空間Ｓ２が上方に開口するように形成されることになる。
【００７２】
さらに、引出部９０Ａの底部９１Ａを網目状にすることで、底部９１Ａを受け部９０としている。
【００７３】
そして、本実施形態では、４つの側壁部３１２のうちの一つの側壁部３１２に、引出部９０Ａをスライドさせながら挿通することが可能な窓部３１２ｃを形成し、この窓部３１２ｃを開閉自在に覆う扉部３１２ｂを一つの側壁部３１２に形成している。こうすることで、引出部９０Ａを水平方向にスライドさせて側壁部３１２から外部に取り出せるようにしている。
【００７４】
また、本実施形態では、引出部９０Ａのスライド方向と交差する方向に位置する一対の側壁部３１２に、引出部９０Ａのスライド方向に延在する保持突起３１２ａをそれぞれ設け、この一対の保持突起３１２ａ上に引出部９０Ａが載置されるようにしている。なお、一対の保持突起３１２ａは、引出部９０Ａのスライドをガイドする機能も有している。
【００７５】
また、本実施形態では、一つの側壁部３１２に扉部３１２ｂを設けた構成を例示したが、扉部３１２ｂを設けずに、引出部９０Ａによって窓部３１２ｃが閉塞されるようにすることも可能である。
【００７６】
（第３実施形態）
図６を用いて、第３実施形態にかかる水耕栽培装置１０を説明する。
【００７７】
図６に示すように、本実施形態においても、水耕栽培装置１０は、植物６０の地下部６１が成長する空間Ｓ１が形成された栽培槽（ケース３１０）と、植物６０の地下部６１が空間Ｓ１内に位置するように植物６０を支持する支持部３２０と、を備える。さらに、水耕栽培装置１０は、養液Ｌを噴霧することにより植物の地下部に養液Ｌを供給するミスト供給部（ミスト噴霧部４１）と、植物６０の地下部６１の下方に配置されて植物６０の腐敗物６４を受ける受け部９０と、を備える。そして、受け部９０が、栽培槽３１０の側壁部３１２から外部に取り出し可能な状態で空間Ｓ１内に配置されている。
【００７８】
ここで、本実施形態では、受け部９０が腐敗物６４を収容可能なカップ部９１Ｂを有するようにしている。
【００７９】
具体的には、図６に示すように、底壁部９１ａＢと、底壁部９１ａＢの各辺（周縁部）から上方に立ち上がるように形成された側壁部９１ｂＢと、を備えるカップ部９１Ｂを、受け部９０とした。なお、底壁部９１ａＢの形状は、矩形板状でもよいし、円板状でもよい。このような構成とすることでカップ部９１Ｂには、腐敗物６４が収容される空間Ｓ３が上方に開口するように形成されることになる。
【００８０】
そして、上方に開口した状態で主根６１の下方にカップ部９１Ｂを載置することで、腐敗物６４がカップ部９１Ｂの空間Ｓ３内に収容されるようにした。このとき、ケース３１０の底面にカップ部９１Ｂを直接載置させるようにした。
【００８１】
そして、本実施形態では、４つの側壁部３１２のうちの一つの側壁部３１２に、カップ部９１Ｂを挿通することが可能な窓部３１２ｃを形成し、この窓部３１２ｃを開閉自在に覆う扉部３１２ｂを一つの側壁部３１２に形成した。こうすることで、カップ部９１Ｂを側壁部３１２から外部に取り出せるようにした。
【００８２】
なお、ケース３１０の底面から離間配置させた網目状のプレート上にカップ部９１Ｂを載置させるようにしてもよい。
【００８３】
また、カップ部９１Ｂをケース３１０の底面から離間配置させた網目状のプレートと一体に形成してもよい。この場合、網目状のプレートを水平方向にスライドさせることで、カップ部９１Ｂを側壁部３１２から外部に取り出せるようにするのが好ましい。
【００８４】
また、ケース３１０の底面の一部や網目状のプレートの一部を底壁部としたカップ部を受け部９０とすることも可能である。すなわち、ケース３１０の底面や網目状のプレートに側壁部を連設することでカップ状の部位を形成し、その部位を受け部９０とすることも可能である。
【００８５】
（第４実施形態）
図７および図８を用いて、第４実施形態にかかる水耕栽培装置１０を説明する。
【００８６】
図７および図８に示すように、本実施形態においても、水耕栽培装置１０は、植物６０の地下部６１が成長する空間Ｓ１が形成された栽培槽（ケース３１０）と、植物６０の地下部６１が空間Ｓ１内に位置するように植物６０を支持する支持部３２０と、を備える。さらに、水耕栽培装置１０は、養液Ｌを噴霧することにより植物の地下部に養液Ｌを供給するミスト供給部（ミスト噴霧部４１）と、植物６０の地下部６１の下方に配置されて植物６０の腐敗物６４を受ける受け部９０と、を備える。そして、受け部９０が、栽培槽３１０の側壁部３１２から外部に取り出し可能な状態で空間Ｓ１内に配置されている。
【００８７】
ここで、本実施形態では、受け部９０がミスト噴霧部４１よりも上方に配置されるようにしている。
【００８８】
具体的には、図８に示すように、ケース３１０の底面にミスト噴霧部４１を直接載置させ、受け部９０をケース３１０の底面から離間配置させることで、受け部９０がミスト噴霧部４１よりも上方に配置されるようにした。
【００８９】
なお、本実施形態では、上端を下方に回動させる扉部３１２ｂを例示したが、上記第１実施形態で説明した様々な構成の扉部とすることも可能である。
【００９０】
（第５実施形態）
図９を用いて、第５実施形態にかかる水耕栽培装置１０を説明する。
【００９１】
図９に示すように、本実施形態においても、水耕栽培装置１０は、植物６０の地下部６１が成長する空間Ｓ１が形成された栽培槽（ケース３１０）と、植物６０の地下部６１が空間Ｓ１内に位置するように植物６０を支持する支持部３２０と、を備える。さらに、水耕栽培装置１０は、養液Ｌを噴霧することにより植物の地下部に養液Ｌを供給するミスト供給部（ミスト噴霧部４１）と、植物６０の地下部６１の下方に配置されて植物６０の腐敗物６４を受ける受け部９０と、を備える。そして、受け部９０が、栽培槽３１０の側壁部３１２から外部に取り出し可能な状態で空間Ｓ１内に配置されている。
【００９２】
ここで、本実施形態では、網部９２が、植物６０の地下部（主根６１）に近い側に配置される第１の網部９２ａと、第１の網部９２ａよりも下方に配置され、第１の網部９２ａよりも網目の細かい第２の網部９２ｂと、を備えるようにしている。
【００９３】
具体的には、図９に示すように、網目の比較的粗い第１の網部９２ａを有する第１の受け部９０ａと、網目の比較的細かい第２の網部９２ｂを有する第２の受け部９０ｂとを用意した。そして、第１の受け部９０ａおよび第２の受け部９０ｂをケース３１０の底面から離間した状態で空間Ｓ１内に配置させた。
【００９４】
こうすることで、比較的大きな腐敗物６４が第１の受け部９０ａで、比較的小さな腐敗物６４が第２の受け部９０ｂで受けられるようにした。
【００９５】
なお、網目の細かい第２の網部９２ｂも、養液Ｌの通過を許容できるようにするのが好ましい。
【００９６】
また、本実施形態では、下端を上方に回動させる扉部３１２ｂと、上端を下方に回動させる扉部３１２ｂを例示したが、２つの扉部の構成を同一の構成とすることも可能である。
【００９７】
また、本実施形態においても、受け部９０がミスト噴霧部４１よりも下方に配置されるようにしてもよい。
【００９８】
また、第１の受け部９０ａと第２の受け部９０ｂとの間にミスト噴霧部４１が配置されるようにすることも可能である。
【００９９】
また、３枚以上の受け部を用いて、下方に向かうにつれて網目が細かくなるように各受け部を配置することも可能である。
【０１００】
以下では、上記各実施形態で示した水耕栽培装置１０の特徴的構成およびそれにより得られる効果を説明する。
【０１０１】
（１）  水耕栽培装置１０は、植物６０の地下部６１が成長する空間Ｓ１が形成された栽培槽（ケース３１０）と、植物６０の地下部６１が空間Ｓ１内に位置するように植物６０を支持する支持部３２０と、を備える。さらに、水耕栽培装置１０は、養液Ｌを噴霧することにより植物の地下部に養液Ｌを供給するミスト供給部（ミスト噴霧部４１）と、植物６０の地下部６１の下方に配置されて植物６０の腐敗物６４を受ける受け部９０と、を備える。そして、受け部９０が、栽培槽３１０の側壁部３１２から外部に取り出し可能な状態で空間Ｓ１内に配置されている。
【０１０２】
このような構成とすることで、植物６０の腐敗物６４を受け部９０で受けることができるため、腐敗物６４が栽培槽３１０の底面に落下してしまうことを抑制することができる。その結果、腐敗物６４が養液Ｌに接触してしまうことを抑制することができるようになる。
【０１０３】
さらに、植物６０の腐敗物６４を受ける受け部９０を栽培槽３１０の側壁部３１２から外部に取り出すことができるため、栽培槽３１０内の清掃が容易になる。
【０１０４】
したがって、このような水耕栽培装置１０を用いれば、より容易に栽培槽３１０内の環境を清浄に保つことができるようになる。
【０１０５】
（２）  また、上記（１）の構成において、受け部９０を水平方向にスライドさせることで、受け部９０が栽培槽３１０の側壁部３１２から外部に取り出される構成としてもよい。
【０１０６】
こうすれば、より簡素な構成で、より容易に栽培槽３１０内の環境を清浄に保つことができるようになる。
【０１０７】
（３）  また、上記（２）の構成において、栽培槽３１０の空間Ｓ１内に、水平方向にスライド可能な引出部９０Ａを配置し、この引出部９０Ａの底部９１Ａに受け部９０を形成するようにしてもよい。
【０１０８】
こうすれば、受け部９０を栽培槽３１０の側壁部３１２から外部に取り出す際に、植物６０の腐敗物６４が受け部９０から栽培槽３１０の底面に落下してしまうことをより確実に抑制することができる。
【０１０９】
（４）  また、上記（１）〜（３）のうちいずれか１つの構成において、受け部９０が腐敗物６４を収容可能なカップ部９１Ｂを有するようにしてもよい。
【０１１０】
こうすれば、腐敗物６４が受け部９０のカップ部９１Ｂ内に収容されることになって、受け部９０を栽培槽３１０の側壁部３１２から外部に取り出す際に、腐敗物６４が栽培槽３１０の底面に落下してしまうことをより確実に抑制することができる。
【０１１１】
（５）  また、上記（１）〜（４）のうちいずれか１つの構成において、受け部９０が、養液Ｌの通過を許容しつつ腐敗物６４の通過を抑制する網部９２を有するようにしてもよい。
【０１１２】
こうすれば、受け部９０で受けた腐敗物６４が養液Ｌに浸されてしまうことが抑制され、養液Ｌの腐敗物６４による汚染をより確実に抑制することができるようになる。
【０１１３】
（６）  また、上記（５）の構成において、網部９２が、植物６０の地下部６１に近い側に配置される第１の網部９２ａを備えるようにしてもよい。さらに、網部９２が、第１の網部９２ａよりも下方に配置され、第１の網部９２ａよりも網目の細かい第２の網部９２ｂを備えるようにしてもよい。
【０１１４】
こうすれば、第１の網部９２ａで受けることができない比較的小さな腐敗物を、第２の網部９２ｂで受けることができ、植物６０の腐敗物６４が栽培槽３１０の底面に落下してしまうことをより確実に抑制することができるようになる。
【０１１５】
（７）  また、上記（１）〜（６）のうちいずれか１つの構成において、水耕栽培装置１０が、養液Ｌが貯留される養液貯留部（養液貯留タンク７０）を備えるようにしてもよい。さらに、水耕栽培装置１０が、ミスト供給部４１に連設されて養液貯留部７０内の養液Ｌをミスト供給部４１に供給する養液供給部（養液配管４０）を備えるようにしてもよい。そして、水耕栽培装置１０が、栽培槽３１０に連設されて栽培槽３１０内の養液Ｌを排出して養液貯留部７０内に還元する養液排出部（排液用配管５０）をさらに備えるようにしてもよい。
【０１１６】
このように、養液Ｌを循環させながら植物６０の地下部６１に供給させるようにした水耕栽培装置１０であっても、上述の受け部９０を設けることで、養液Ｌの腐敗物６４による汚染を抑制することができるようになる。すなわち、（７）のように、養液Ｌを循環させながら植物６０の地下部６１に供給させるようにした水耕栽培装置１０を用いた場合であっても、栽培槽３１０内の環境をより清浄に保つことができるようになる。
【０１１７】
（８）  また、上記（１）〜（７）のうちいずれか１つの構成において、受け部９０がミスト供給部４１よりも下方に配置されるようにしてもよい。
【０１１８】
こうすれば、ミスト供給部４１から植物６０の地下部６１への養液Ｌの供給が、受け部によって邪魔されてしまうことが抑制され、より確実に養液Ｌを植物６０の地下部６１に供給することができる。
【０１１９】
（９）  また、上記（１）〜（８）のうちいずれか１つの構成において、受け部９０がミスト供給部４１よりも上方に配置されるようにしてもよい。
【０１２０】
こうすれば、ミスト供給部４１上に腐敗物６４が堆積してしまうことが抑制され、より確実に養液Ｌの噴霧を行うことができるようになる。
【０１２１】
（１０）  また、上記（１）〜（９）のうちいずれか１つの構成において、植物６０の地下部６１が、共通の支持部３２０に複数支持されるようにしてもよい。
【０１２２】
こうすれば、１つの栽培槽３１０で複数の植物６０を栽培する際に、いずれかの植物６０で発生した腐敗物６４の影響が他の植物６０に及んでしまうことを抑制することが可能となる。
【０１２３】
以上、本実施形態にかかる水耕栽培装置の内容を説明したが、本実施形態はこれらの記載に限定されるものではなく、種々の変形及び改良が可能であることは、当業者には自明である。
【符号の説明】
【０１２４】
１０  水耕栽培装置
３１０  ケース（栽培槽）
３１２  側壁部
３２０  支持部
４０  養液配管（養液供給部）
４１  ミスト噴霧部（ミスト供給部）
５０  排液用配管（養液排出部）
６０  植物
６１  主根（地下部）
７０  養液貯留タンク（養液貯留部）
９０  受け部
９０Ａ  引出部
９１Ａ  底部
９１Ｂ  カップ部
９２  網部
９２ａ  第１の網部
９２ｂ  第２の網部
Ｓ１  空間
【図１】
2020120616.tif 000003
【図２】
2020120616.tif 000004
【図３】
2020120616.tif 000005
【図４】
2020120616.tif 000006
【図５】
2020120616.tif 000007
【図６】
2020120616.tif 000008
【図７】
2020120616.tif 000009
【図８】
2020120616.tif 000010
【図９】
2020120616.tif 000011